(57)【特許請求の範囲】
【請求項１】
装置間で通信を行う前の通信準備状態を表す通信準備状態信号を生成して伝送する伝送装置において、
ＳＤＨ系またはＳＯＮＥＴ系に対応し、信号の多重化単位に応じた前記通信準備状態の情報を示すヘッダ情報を生成するヘッダ情報生成手段と、
通知された前記通信準備状態の設定コードにもとづいて、主信号と前記ヘッダ情報とから、前記通信準備状態信号を生成する信号生成手段と、
を有することを特徴とする伝送装置。
【請求項２】
前記設定コードのパリティ演算を行うパリティ演算手段をさらに有することを特徴とする請求項１記載の伝送装置。
【請求項３】
複数チャネルの任意の１チャネル分の試験信号を生成する試験信号生成手段をさらに有することを特徴とする請求項１記載の伝送装置。
【請求項４】
前記試験信号の符号誤り監視を行う符号誤り監視手段をさらに有することを特徴とする請求項３記載の伝送装置。
【請求項５】
装置間で通信を行う前の通信準備状態を表す通信準備状態信号を生成して伝送するネットワークシステムにおいて、
ＳＤＨ系またはＳＯＮＥＴ系に対応し、信号の多重化単位に応じた前記通信準備状態の情報を示すヘッダ情報を生成するヘッダ情報生成手段と、通知された前記通信準備状態の設定コードにもとづいて、主信号と前記ヘッダ情報とから、前記通信準備状態信号を生成する信号生成手段と、から構成される複数の伝送装置と、
前記伝送装置をリング状に接続する伝送媒体と、
を有することを特徴とするネットワークシステム。
【請求項６】
前記設定コードのパリティ演算を行うパリティ演算手段をさらに有することを特徴とする請求項５記載のネットワークシステム。
【請求項７】
複数チャネルの任意の１チャネル分の試験信号を生成する試験信号生成手段をさらに有することを特徴とする請求項５記載のネットワークシステム。
【請求項８】
前記試験信号の符号誤り監視を行う符号誤り監視手段をさらに有することを特徴とする請求項７記載のネットワークシステム。
【発明の詳細な説明】
【０００１】
【発明の属する技術分野】
本発明は伝送装置及びネットワークシステムに関し、特に装置間で通信を行う前の通信準備状態を表す通信準備状態信号を生成して伝送する伝送装置及び装置間で通信を行う前の通信準備状態を表す通信準備状態信号を生成して伝送するネットワークシステムに関する。
【０００２】
【従来の技術】
多重化技術の中核となるＳＤＨ(Synchronous Digital Hierarchy) ／ＳＯＮＥＴ（Synchronous Optical Network)は、各種の高速サービスや既存の低速サービスを有効に多重化するためのインタフェースを規定するものであり、標準化されて現在開発が進んでいる。
【０００３】
ここで、伝送インタフェースとして、２．４８８３２Ｇｂ／ｓの伝送インタフェースをＳＯＮＥＴではＳＴＳ−４８ｃと呼ぶ。ＳＴＳ−４８ｃは、５１．８４Ｍｂ／ｓのＳＴＳ−１が４８チャネル多重されたものである。
【０００４】
また、ＳＴＳ−１のＶＣ（バーチャルコンテナ）を３つ連結した信号（このような信号をコンカチネーション信号と呼ぶ）をＳＴＳ−３ｃと呼び、ＳＴＳ−３ｃは１５５．５２Ｍｂ／ｓの伝送容量となる。さらにＳＴＳ−３ｃに対応するＳＤＨの伝送インタフェースをＡＵ（Administrative Unit)４と呼ぶ。
【０００５】
一方、ＳＤＨ／ＳＯＮＥＴのネットワークでは、装置間で通信を行う前の通信準備状態をUnequipment と呼び、このUnequipment を表す信号をUnequipment 信号と呼ぶ。例えば、装置を立ち上げた場合の初期設定時や、クロスコネクト設定時などにUnequipment 信号が生成される。
【０００６】
【発明が解決しようとする課題】
従来では、ＳＯＮＥＴ系及びＳＤＨ系の両方に必要な、Unequipment 信号の生成機能に対して、ＳＤＨ仕様とＳＯＮＥＴ仕様では差異があるために、それぞれ個別の回路で構成されていた。したがって、回路の拡張性がないといった問題があった。
【０００７】
近年では、通信のグローバル化が進んでいる。このため、ＳＤＨ仕様とＳＯＮＥＴ仕様の差異を考慮して、両方の規格に対応できるシステムを構築することは、運用面・保守面においても重要である。
【０００８】
また、従来ではＳＴＳ−１、ＳＴＳ−３ｃといった各種の伝送インタフェースに対応したUnequipment 信号の生成が効率よく行われていなかったため、回路規模が増大するといった問題があった。
【０００９】
本発明はこのような点に鑑みてなされたものであり、ＳＤＨとＳＯＮＥＴの両方の規格に対応し、伝送インタフェースに応じてUnequipment 信号を効率よく生成して伝送する伝送装置を提供することを目的とする。
【００１０】
また、本発明の他の目的は、ＳＤＨとＳＯＮＥＴの両方の規格に対応し、伝送インタフェースに応じてUnequipment 信号を効率よく生成して伝送するネットワークシステムを提供することである。
【００１１】
【課題を解決するための手段】
本発明では上記課題を解決するために、図１に示すような、装置間で通信を行う前の通信準備状態を表す通信準備状態信号を生成して伝送する伝送装置１０において、ＳＤＨ系またはＳＯＮＥＴ系に対応し、信号の多重化単位に応じた通信準備状態の情報を示すヘッダ情報を生成するヘッダ情報生成手段１１と、通知された通信準備状態の設定コードにもとづいて、主信号とヘッダ情報とから、通信準備状態信号を生成する信号生成手段１２と、を有することを特徴とする伝送装置１０が提供される。
【００１２】
ここで、ヘッダ情報生成手段１１は、ＳＤＨ系またはＳＯＮＥＴ系に対応し、信号の多重化単位に応じた通信準備状態の情報を示すヘッダ情報を生成する。信号生成手段１２は、通知された通信準備状態の設定コードにもとづいて、主信号とヘッダ情報とから、通信準備状態信号を生成する。
【００１３】
【発明の実施の形態】
以下、本発明の実施の形態を図面を参照して説明する。図１は本発明の伝送装置の原理図である。伝送装置１０は、装置間で通信を行う前の通信準備状態を表す通信準備状態信号を生成して伝送する。
なお、通信準備状態をUnequipment 、通信準備状態信号をUnequipment 信号と呼ぶ。Unequipment 信号の詳細な信号構成については後述する。
【００１４】
ヘッダ情報生成手段１１は、ＳＤＨまたはＳＯＮＥＴの規格に対応し、かつ信号の多重化単位に応じた（例えば、ＳＴＳ−１やＳＴＳ−３ｃといった各種の伝送インタフェースに応じた）Unequipment の情報を示すヘッダ情報を生成する。ヘッダ情報は、具体的にはＡＵポインタ内のＨ１、Ｈ２バイトに設定される。
【００１５】
なお、ＳＤＨ、ＳＯＮＥＴのいずれの規格に対応させるかは、例えば、外部からの１ビット信号で設定することができる。
デコーダ１３は、端末（ネットワーク監視装置）２０から外部通知されたUnequipment の設定コードをデコードする。設定コードには、Unequipment なのか否かの情報や、またはUnequipment の場合には、信号がどのようなコンカチネーション信号なのかといった情報等が設定される。
【００１６】
信号生成手段１２は、デコーダ１３のデコード値にもとづいて、主信号とヘッダ情報とから、Unequipment 信号を生成する。
次に本発明の伝送装置１０をリングトポロジを持つネットワークシステムに適用した場合について以降詳しく説明する。図２はネットワークシステムを示す図である。ネットワークシステム１は、局１０−１〜１０−４が、伝送媒体として光ファイバケーブルを用いて、リング状に接続したリングネットワークである。
【００１７】
局１０−１〜１０−４は、ＳＤＨまたはＳＯＮＥＴの多重化伝送を行い、かつ本発明の伝送装置１０が適用された局である。なお、実際にはWork（現用回線）とProtection（予備回線）の４ファイバの冗長系構成が一般的だが、簡略化して図では２ファイバ構成を示している。
【００１８】
また、ネットワーク監視装置２０が局１０−１に接続している。ネットワーク監視装置２０は、局１０−１〜１０−４を含む全体のネットワークの監視・制御を行う。また、設定コードは、ネットワーク監視装置２０から通知される。
【００１９】
局間のリンクは９．９５３２８Ｇｂ／ｓの伝送容量を持ち、各局では９．９５３２８Ｇｂ／ｓの多重化信号を分離化して、トリビュタリへ２．４８８３２Ｇｂ／ｓまで落としている。逆に、トリビュタリから２．４８８３２Ｇｂ／ｓの信号を受信して、９．９５３２８Ｇｂ／ｓまで多重化して各局間で伝送する。
【００２０】
また、トリビュタリから局方向への信号の流れをＡｄｄ、局からトリビュタリ方向への信号の流れをＤｒｏｐと呼ぶ。２．４８８３２Ｇｂ／ｓの伝送インタフェースは、５１．８４Ｍｂ／ｓの伝送インタフェースがさらに４８チャネル多重されたものである。
【００２１】
図３は局１０−１の内部構成を示す図である。本発明のUnequipment （以下、ＵＮＥＱと略す）信号の生成に関わる部分のみを示している。また、図中の（１）〜（６）の番号は、図２で示した（１）〜（６）に対応している。局１０−１は、Ｄｒｏｐ側とＡｄｄ側それぞれにＵＮＥＱ信号の生成機能を持つ。
【００２２】
Ｄｒｏｐ側に対し、ＵＮＥＱ信号生成部１０ａ−１は、Ｈ１／Ｈ２バイト生成手段１１（図１のヘッダ情報生成手段１１に該当）と、信号生成手段１２と、ＡＣＭ（Address Control Memory) コード・デコーダ１３（図１のデコーダ１３に該当）とから構成され、East Work からの主信号を受信して、ＵＮＥＱ信号を生成する。
【００２３】
また、ＵＮＥＱ信号生成部１０ａ−２は、ＵＮＥＱ信号生成部１０ａ−１と同様な機能を持ち（図中、簡略化して点線枠のみ示した）、West Work からの主信号を受信して、ＵＮＥＱ信号を生成する。
【００２４】
ＵＮＥＱ信号生成部１０ａ−１、１０ａ−２で生成されたＵＮＥＱ信号は、Ｅ／Ｗセレクタ１４に入力される。Ｅ／Ｗセレクタ１４は、East Work から生成されたＵＮＥＱ信号、またはWest Work から生成されたＵＮＥＱ信号のいずれかを選択して、Ｄｒｏｐデータとして出力する。
【００２５】
なお、ＵＮＥＱ信号生成部１０ａ−１、１０ａ−２内のＡＣＭコード・デコーダ１３に対して、Ｄｒｏｐパスコード（設定コードに該当）がネットワーク監視装置２０から入力される。
【００２６】
Ａｄｄ側に対し、ＵＮＥＱ信号生成部１０ｂ−１は、Ｈ１／Ｈ２バイト生成手段１１と、信号生成手段１２と、ＡＣＭコード・デコーダ１３とから構成され、Ａｄｄデータからの主信号を受信して、West Work として出力すべきＵＮＥＱ信号を生成する。
【００２７】
また、ＵＮＥＱ信号生成部１０ｂ−２は、ＵＮＥＱ信号生成部１０ｂ−１と同様な機能を持ち（図中、簡略化して点線枠のみ示した）、Ａｄｄデータからの主信号を受信して、East Work として出力すべきＵＮＥＱ信号を生成する。
【００２８】
なお、ＵＮＥＱ信号生成部１０ｂ−１のＡＣＭコード・デコーダ１３に対してＡｄｄ−Ｗｅｓｔパスコードが、ＵＮＥＱ信号生成部１０ｂ−２のＡＣＭコード・デコーダ１３に対してＡｄｄ−Ｅａｓｔパスコードが、ネットワーク監視装置２０から入力される。
【００２９】
次にＳＴＳ−１２ｃを例にしてフレーム構成について説明する。図４はＳＴＳ−１２ｃのフレーム構成を示す図である。フレームは、９行１０８０列（１列は１バイトである）の２次元のバイト配列で表現される。先頭の９行３６列は、制御情報であるオーバヘッドとＡＵポインタからなり、それに続く９行１０４４列は、多重化情報を収容するペイロードである。
【００３０】
Ｈ１バイトは、４行目のＡＵポインタの１列目から１２列目、Ｈ２バイトは、５行目のＡＵポインタの１３列目から２４列目に位置する。
次にＵＮＥＱ信号の信号構成について説明する。図５はＵＮＥＱ信号の構成を示す図である。ＵＮＥＱ信号は、Ｈ１バイト及びＨ２バイトと、主信号（ペイロード）とから構成される。
【００３１】
Ｈ１バイトの第７、８ビットとＨ２バイトの８ビットを合わせて１０ビットポインタを構成する。Ｈ１の第１ビットから第４ビットまでの４ビットはＮＤＦ（New Data Flag)であり、これによりペイロードの変化に応じて１０ビットポインタ値を変更する。例えば、ポインタ値の変更が必要ない時にはＮＤＦを“０１１０”コードで表し、ポインタ値を変更する時には、ＮＤＦを“１００１”の反転コードとする。
【００３２】
本発明では、この１０ビットポインタは、コンカチネーション・インディケータとして用いられる。すなわち、１０ビットすべてが“０”の時は、その信号はコンカチネーション信号でなく（ＳＴＳ−１のような１チャネルの信号）、１０ビットすべてが“１”の時は、その信号はコンカチネーション信号である（ＳＴＳ−３ｃやＡＵ４のような複数チャネルが連結した信号）ことを示す。
【００３３】
Ｈ１バイトの第５、６ビットの２ビットは、ＳＳ（Signal Size)であり、ＳＤＨとＳＯＮＥＴの識別に用いる。例えば、主信号がＳＤＨの場合はＳＳ＝１０とし、ＳＯＮＥＴの場合をＳＳ＝００とする。また、ＵＮＥＱ信号の主信号は、ＳＤＨやＳＯＮＥＴまたは多重化単位にかかわらず、すべて“０”に設定する。
【００３４】
図６はＳＴＳ−１、ＳＴＳ−３ｃ及びＡＵ４のＵＮＥＱ信号の構成を示す図である。ＳＴＳ−１（ＳＯＮＥＴ）のＵＮＥＱ信号の構成は、ヘッダ情報であるＨ１／Ｈ２バイトに対して、ＮＤＦ＝０１１０、ＳＳ＝００、１０ビットポインタをすべて“０”とする。そして、主信号をすべて“０”と設定する。
【００３５】
ＳＴＳ−３ｃ（ＳＯＮＥＴ）のＵＮＥＱ信号の構成では、ＳＴＳ−３ｃの場合は３チャネルで構成されるので、まず、１チャネル目のＨ１／Ｈ２バイトに、ＮＤＦ＝０１１０、ＳＳ＝００、１０ビットポインタをすべて“０”とする。また、２チャネル目と３チャネル目のＨ１／Ｈ２バイトには、ＮＤＦ＝１００１、ＳＳ＝００、１０ビットポインタをすべて“１”とする。そして、３チャネル分の主信号をすべて“０”と設定する。
【００３６】
ＡＵ４（ＳＤＨ）のＵＮＥＱ信号の構成は、ＳＴＳ−３ｃのＵＮＥＱ信号のＳＳを１０に設定する。その他の設定はＳＴＳ−３ｃと同様である。
次にフレーム上でＵＮＥＱ信号の構成を説明する。図４で示したＳＴＳ−１２ｃのフレームに対するＵＮＥＱ信号は、１列目のＨ１バイトと１３列目のＨ２バイトを用いて、ＮＤＦ＝０１１０、ＳＳ＝００、１０ビットポインタをすべて“０”と設定する。そして、２列目から１２列目までのＨ１バイトと、１４列目から２４列目までのＨ２バイトとをそれぞれ対にして、ＮＤＦ＝１００１、ＳＳ＝００、１０ビットポインタをすべて“１”と設定する。さらに、多重化されるチャネルＣＨ１〜ＣＨ１２までの主信号の値をすべて“０”にする。
【００３７】
次にパリティ演算手段について説明する。図７はパリティ演算手段を設けた局の内部構成を示す図である。なお、図ではＤｒｏｐ側の構成のみ示し、図３と同じ構成要素には同符号を付けて説明は省略する。
【００３８】
パリティ演算手段１５は、設定コード（以下、パスコードと呼ぶ）を受信してパリティ演算を行って誤り検出を行う。Ｓ／Ｐ手段１６は、パリティ演算手段１５から出力されたシリアル信号を、パラレル信号に変換してＡＣＭコード・デコーダ１３へ送信する。
【００３９】
このように、パリティ演算手段１５を設けてパスコードの誤り検出を行うことにより、信頼性の向上を図ることが可能になる。
次にパスコードの内容について説明する。図８はパスコードの信号構成を示す図である。フレームパルスとパスコードは、図に示すような位相の信号であり、ＡＣＭコード・デコーダ１３へ送信される。
【００４０】
１フレームは１２１５ビットである。パスコードは、フレームパルスの先頭から３８４ビットのＡＤＤ−Ｅａｓｔパスコード、ＡＤＤ−Ｗｅｓｔパスコード、Ｄｒｏｐパスコードと続く。また、パリティビットも含まれる。
【００４１】
ＡＤＤ−Ｅａｓｔ、ＡＤＤ−Ｗｅｓｔ及びＤｒｏｐのパスコードは、８ビットを４８チャネル分有しており、上位２ビットがパスコード設定ビットとなっている。
【００４２】
図９はパスコード設定ビットを示す図である。上位７、６ビットが“００”の時はＮｏｒｍａｌであり、装置間が通信可能状態であることを示す。“０１”の時はＡＩＳ（Alarm Indicator Signal) であり障害発生（信号断等）の状態を示す。“１０”の時はＵＮＥＱであり、例えばＳＴＳ−１に用いられる。“１１”の時はＵＮＥＱ−Ｎｃであり、例えばＳＴＳ−３ｃやＡＵ４などのコンカチネーションのＵＮＥＱ信号を生成する場合に用いる（コンカチネーション信号の場合、“１０”のＵＮＥＱを最初の１チャネルに用い、２チャネル以降にＵＮＥＱ−Ｎｃを用いる）。
【００４３】
図１０はパスコード設定例を示す図である。（Ａ）はチャネルＣＨ１〜ＣＨ３を使用したＳＴＳ−３ｃを示しており、（Ｂ）はチャネルＣＨ４〜ＣＨ６を使用したＳＴＳ−３ｃを示している。（Ａ）、（Ｂ）共に、パラレル変換した後の状態を示している。
【００４４】
（Ａ）は、３チャネルにＣＨ１〜ＣＨ３を用いたＳＴＳ−３ｃであるから、図９にもとづいて、ＣＨ１に“１０”、ＣＨ２とＣＨ３に“１１”を設定する。なお、その他のチャネルはＮｏｒｍａｌとして“００”を設定する。
【００４５】
（Ｂ）は、３チャネルにＣＨ４〜ＣＨ６を用いたＳＴＳ−３ｃであるから、図９にもとづいて、ＣＨ４に“１０”、ＣＨ５とＣＨ６に“１１”を設定する。なお、その他のチャネルはＮｏｒｍａｌとして“００”を設定する。
【００４６】
次に試験信号生成手段について説明する。図１１は試験信号生成手段を設けた局の内部構成を示す図である。なお、図ではＤｒｏｐ側の構成のみ示し、図７と同じ構成要素には同符号を付けて説明は省略する。
【００４７】
試験信号生成手段１７は、テストデータ生成手段１７ａとチャネル選択手段１７ｂで構成される。テストデータ生成手段１７ａは、“０”と“１”をランダムに組み合わせたＰＮ（Pseudo Noise) パターンを生成する。
【００４８】
チャネル選択手段１７ｂは、East Work またはWest Work のいずれかから受信した主信号を選択し、主信号の複数チャネルの中の任意の１チャネル（例えば、４８チャネル中の任意の１チャネル）に、テストデータ生成手段１７ａで生成されたＰＮパターンを挿入して１チャネル分の試験信号を生成し、信号生成手段１２へ送信する。
【００４９】
ここで、試験信号生成手段１７では、試験信号としては１チャネル分の信号しか作っていない。ところが、上述したように、パスコードでＵＮＥＱ−Ｎｃの設定をすることで、本発明のＨ１／Ｈ２バイト生成手段１１は、任意のコンカチネーションを設定することができる。
【００５０】
したがって、試験信号生成手段１７で１チャネル分の信号しか作っていなくても、信号生成手段１２からは擬似的にコンカチネーション信号に対応した試験信号を出力することができる。
【００５１】
例えば、ＣＨ４〜ＣＨ６を用いたＳＴＳ−３ｃの試験信号を出力する場合、チャネル選択手段１７ｂは、主信号のＣＨ４を選択して、ＣＨ４にＰＮパターンを挿入する。
【００５２】
また、Ｈ１／Ｈ２バイト生成手段１１は、ＣＨ５とＣＨ６のＨ１／Ｈ２バイトに１００１＋００＋１１＋１１１１１１１１を設定する。これにより、信号生成手段１２は、ＣＨ４〜ＣＨ６を用いたＳＴＳ−３ｃの試験信号を出力することができる。
【００５３】
以上説明したように、本発明の伝送装置１０に試験信号生成手段１７を設けることにより、コンカチネーション信号にも対応した試験信号を簡単に作ることができるので、効率よく回線試験等を行うことが可能になる。
【００５４】
図１２は符号誤り監視手段を含む試験信号生成手段を設けた局の内部構成を示す図である。なお、図ではＤｒｏｐ側の構成のみ示し、図１１と同じ構成要素には同符号を付けて説明は省略する。
【００５５】
符号誤り監視手段１７ｃは、テストデータの符号誤り監視を行う。具体的にはＢＩＰ８（Bit Interleaved Parity 8) と呼ばれる監視方式を採用する。ＢＩＰ８は、全情報ビットを８ビット毎に分割して監視するものである。
【００５６】
このように、テストデータに対して符号誤り監視を行うことで、より信頼度の高い試験制御を行うことが可能になる。
以上説明したように、本発明の伝送装置１０及びネットワークシステム１は、主信号と、上述したようなヘッダ情報とからＵＮＥＱ信号を生成する構成とした。これにより、ＳＤＨとＳＯＮＥＴの両方の規格に対応することができるので、回路の拡張性を図ることが可能になる。
【００５７】
また、各種の伝送インタフェースに応じた（各種のコンカチネーション信号に対応した）ＵＮＥＱ信号を効率よく生成することができるので、回路規模の削減を図ることが可能になる。
【００５８】
なお、上記の説明では、伝送インタフェースの種類として、ＳＴＳ−１、ＳＴＳ−３ｃ、ＡＵ４を例にして説明したが、これら以外の伝送インタフェースに応じたＵＮＥＱ信号を生成することも可能である。すなわち、パスコードのＵＮＥＱ−Ｎｃの設定を任意の多重化単位に応じて設定することで、多様な伝送インタフェースのＵＮＥＱ信号を生成することができる。
【００５９】
【発明の効果】
以上説明したように、本発明の伝送装置は、主信号と、ＳＤＨ系またはＳＯＮＥＴ系に対応し、信号の多重化単位に応じた通信準備状態の情報を示すヘッダ情報と、から通信準備状態信号を生成する構成とした。これにより、ＳＤＨとＳＯＮＥＴの両方の規格に対応し、かつ伝送インタフェースに応じて通信準備状態信号を効率よく生成して伝送することが可能になる。
【００６０】
また、本発明のネットワークシステムは、主信号と、ＳＤＨ系またはＳＯＮＥＴ系に対応し、信号の多重化単位に応じた通信準備状態の情報を示すヘッダ情報と、から通信準備状態信号を生成する構成とした。これにより、ＳＤＨとＳＯＮＥＴの両方の規格に対応し、かつ伝送インタフェースに応じて通信準備状態信号を効率よく生成して伝送することが可能になる。
【図面の簡単な説明】
【図１】本発明の伝送装置の原理図である。
【図２】ネットワークシステムを示す図である。
【図３】局の内部構成を示す図である。
【図４】ＳＴＳ−１２ｃのフレーム構成を示す図である。
【図５】ＵＮＥＱ信号の構成を示す図である。
【図６】ＳＴＳ−１、ＳＴＳ−３ｃ及びＡＵ４のＵＮＥＱ信号の構成を示す図である。
【図７】パリティ演算手段を設けた局の内部構成を示す図である。
【図８】パスコードの信号構成を示す図である。
【図９】パスコード設定ビットを示す図である。
【図１０】パスコード設定例を示す図である。（Ａ）はチャネルＣＨ１〜ＣＨ３を使用したＳＴＳ−３ｃを示しており、（Ｂ）はチャネルＣＨ４〜ＣＨ６を使用したＳＴＳ−３ｃを示している。
【図１１】試験信号生成手段を設けた局の内部構成を示す図である。
【図１２】符号誤り監視手段を含む試験信号生成手段を設けた局の内部構成を示す図である。
【符号の説明】
１０  伝送装置
１１  ヘッダ情報生成手段
１２  デコーダ
１３  信号生成手段
２０  端末
【図１】
0003730072.tif 000002
【図２】
0003730072.tif 000003
【図３】
0003730072.tif 000004
【図４】
0003730072.tif 000005
【図５】
0003730072.tif 000006
【図６】
0003730072.tif 000007
【図７】
0003730072.tif 000008
【図８】
0003730072.tif 000009
【図９】
0003730072.tif 000010
【図１０】
0003730072.tif 000011
【図１１】
0003730072.tif 000012
【図１２】
0003730072.tif 000013